(57)【要約】本発明は、デジタル字幕放送からの映像信号、音声信号および字幕データ信号を受信する映像信号受信器、音声信号受信器および字幕データ信号受信器と、この映像信号受信器、音声信号受信器および字幕データ信号受信器からの信号をそれぞれ受信して視聴者モニターへ送信する映像信号送信器、音声信号送信器および字幕データ信号送信器と、前記映像信号受信器、音声信号受信器と前記映像信号送信器、音声信号送信器との間に設けられた、前記視聴者モニターでの字幕表示に合わせて映像表示、音声表示の表示タイミングを調整することができる可変表示調整器とから成るデジタル字幕放送用レコーダである。  本発明の目的は、従来の字幕放送からの映像信号、音声信号および字幕データ信号を受信して、視聴者モニターに変調しないそのままの字幕表示をするとともに、該字幕表示のタイミングに合わせて可変調整した映像表示、音声表示を表示させることができるデジタル字幕放送用レコーダを得るにあり、本発明の他の目的は字幕データを記録、保存し、視聴者モニターで必要な時に再生表示することができるデジタル字幕放送用レコーダを提供することである。
2012093425.tif 000002
【特許請求の範囲】
【請求項１】
デジタル字幕放送からの映像信号、音声信号および字幕データ信号を受信する映像信号受信器、音声信号受信器および字幕データ信号受信器と、この映像信号受信器、音声信号受信器および字幕データ信号受信器からの信号をそれぞれ受信して視聴者モニターへ送信する映像信号送信器、音声信号送信器および字幕データ信号送信器と、前記映像信号受信器、音声信号受信器と前記映像信号送信器、音声信号送信器との間に設けられた、前記視聴者モニターでの字幕表示に合わせて映像表示、音声表示の表示タイミングを調整することができる可変表示調整器とを備えたことを特徴とするデジタル字幕放送用レコーダ。
【請求項２】
可変表示調整器は視聴者モニターでの映像表示および音声表示を字幕表示の表示タイミングに合わせることができるものであることを特徴とする請求項１記載のデジタル字幕放送用レコーダ。
【請求項３】
字幕データ信号受信器には字幕データを記録・保存し、視聴者モニターで再生表示する再生表示装置が設けられていることを特徴とする請求項１記載のデジタル字幕放送用レコーダ。
【請求項４】
デジタル字幕放送からの放送が生字幕放送か収録字幕放送であるかを識別する生字幕・収録字幕識別装置を介して放送からの映像信号、音声信号および字幕データ信号を受信する映像信号受信器、音声信号受信器および字幕データ信号受信器と、この映像信号受信器、音声信号受信器および字幕データ信号受信器からの信号をそれぞれ受信して視聴者モニターへ送信する映像信号送信器、音声信号送信器および字幕データ信号送信器と、前記映像信号受信器、音声信号受信器と前記映像信号送信器、音声信号送信器との間に設けられた、前記生字幕・収録字幕識別装置が生字幕放送であると識別した場合に前記視聴者モニターでの字幕表示に合わせて映像表示、音声表示の表示タイミングを調整することができるオン状態となり、前記生字幕・収録字幕識別装置が収録字幕放送であると識別した場合に前記視聴者モニターへ前記映像信号受信器、音声信号受信器で受信した信号を表示タイミングを調整することなく前記映像信号受信器、音声信号受信器へ送信するオフ状態となる可変表示調整器とを備えたことを特徴とするデジタル字幕放送用レコーダ。
【請求項５】
生字幕・収録字幕識別装置はデジタル字幕放送の字幕の前の記号あるいは放送設備側で設ける生字幕放送であるという識別信号で識別するものであることを特徴とする請求項４記載のデジタル字幕放送用レコーダ。
【発明の詳細な説明】
【技術分野】
【０００１】
本発明は日本語は勿論、外国語も含むデジタル字幕放送からの映像信号、音声信号および字幕データ信号を受信して、映像表示、音声表示の表示タイミングを可変調整して字幕データとともに表示させるとともにＵＳＢメモリー等に字幕データのみを記録・保存し、テレビ等のモニターに文字サイズ、文字色、表示手法(ページ単位・表示行数・スクロール等)の他、プリンターや点字機器等に接続できるユニバーサルデジタル字幕放送用レコーダに関する。
【背景技術】
【０００２】
従来、リアルタイム字幕放送のような生の映像、音声から字幕データを作成する場合には、映像に対して字幕が遅れて表示され、字幕放送に対して視聴者が違和感を覚えていた。【０００３】
このような欠点を解消するために映像・音声と字幕との時間的なずれを減少させる字幕放送システムが考えられている。【０００４】
しかしながら、このような字幕放送システムは従来の字幕放送システムを変更しなければならず、その作業が大変で高額な費用もかかるため、収入が得られづらい字幕放送に高額な費用をかけることができず、実用化されていないのが現実である。その他の手法もタイミング合わせ程度の手法にとどまっており、聴覚障害者の情報保障にはさらに複合的、重層的機能を合わせ持った情報保障システムが絶対必要不可欠なものとなっている。また、この種のものは、聴覚障害者にとどまらず、一般人にも有効な、ユニバーサルデザイン機能を持っていなければ、広く実用化に至らないことを銘記しなければならない。
【特許文献１】特開２０１０−８１１４１号公報
【発明の開示】
【発明が解決しようとする課題】
【０００５】
本発明は以上のような従来の欠点に鑑み、従来の字幕放送からの映像信号、音声信号および字幕データ信号を受信して、視聴者モニターに変調しないそのままの字幕表示をするとともに、該字幕表示のタイミングに合わせて１秒単位で０〜３１段階の変調視聴表示できるようにして、視聴者が簡単に操作でき最適な状態で視聴することができるデジタル字幕放送用レコーダを提供することを目的としている。【０００６】
また、本発明の目的は、字幕データを記録・保存し、視聴者モニターで必要な時に再生表示することができるとともに、ＵＳＢメモリー等でプリントアウトも可能とするデジタル字幕放送用レコーダを提供することを目的としている。【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明はデジタル字幕放送からの映像信号、音声信号および字幕データ信号を受信する映像信号受信器、音声信号受信器および字幕データ信号受信器と、この映像信号受信器、音声信号受信器および字幕データ信号受信器からの信号をそれぞれ受信して視聴者モニターへ送信する映像信号送信器、音声信号送信器および字幕データ信号送信器と、前記映像信号受信器、音声信号受信器と前記映像信号送信器、音声信号送信器との間に設けられた、前記視聴者モニターでの字幕表示に合わせて映像表示、音声表示の表示タイミングを調整することができる可変表示調整器とでデジタル字幕放送用レコーダを構成している。【０００９】
また、本発明は字幕データ信号受信器に字幕データを記録・保存し、視聴者モニターで再生表示する再生表示装置を設けてデジタル字幕放送用レコーダを構成している。【００１０】
さらに、本発明はデジタル字幕放送からの放送が生字幕放送か収録字幕放送であるかを識別する生字幕・収録字幕識別装置を介して放送からの映像信号、音声信号および字幕データ信号を受信する映像信号受信器、音声信号受信器および字幕データ信号受信器と、この映像信号受信器、音声信号受信器および字幕データ信号受信器からの信号をそれぞれ受信して視聴者モニターへ送信する映像信号送信器、音声信号送信器および字幕データ信号送信器と、前記映像信号受信器、音声信号受信器と前記映像信号送信器、音声信号送信器との間に設けられた、前記生字幕・収録字幕識別装置が生字幕放送であると識別した場合に前記視聴者モニターでの字幕表示に合わせて映像表示、音声表示の表示タイミングを調整することができるオン状態となり、前記生字幕・収録字幕識別装置が収録字幕放送であると識別した場合に前記視聴者モニターへ前記映像信号受信器、音声信号受信器で受信した信号を表示タイミングを調整することなく前記映像信号受信器、音声信号受信器へ送信するオフ状態となる可変表示調整器とでデジタル字幕放送用レコーダを構成している。
【発明の効果】
【００１１】
以上の説明から明らかなように、本発明にあっては次に列挙する効果が得られる。
（１）請求項１により、従来のデジタル字幕放送からの映像信号、音声信号および字幕データ信号を受信して、視聴者のモニターに変調しないそのままの字幕表示をするとともに、該字幕表示のタイミングに合わせて可変調整した映像表示、音声表示を表示させることができる。【００１２】
したがって、従来のデジタル字幕放送であっても、視聴者が最適状態で視聴することができる。
（２）前記（１）により、放送局側の設備を変更する必要がないので、従来通りの字幕放送を行なうことができる。
（３）前記（１）により、字幕放送と視聴者モニターとに接続する従来の録画再生機と同様に接続して使用できるので、取り扱いが容易にできる。
（４）前記（１）により、字幕データ信号で文字データ記録がなされるため、文字検索により、膨大なテレビ番組のアーカイプス検索を簡単かつ的確にできるほか、議会中継等の字幕放送では、文字データの記録、つまり「録字機能」により、リアルタイムで速記録が簡単に作成できる等、議会記録の迅速・公開・経費節減等を一気に促進され、議会大改革が可能にできる。
（５）請求項２も前記（１）〜（４）と同様な効果が得られる。
（６）請求項３も前記（１）〜（４）と同様な効果が得られるとともに、字幕データを視聴者モニターで必要な時に再生することができる。
（７）請求項４も前記（１）〜（４）と同様な効果が得られるとともに、生字幕放送や収録字幕放送であっても、最適に視聴者のモニターに字幕表示、映像表示、音声表示を表示させることができる。
（８）請求項５も前記（１）〜（４）、(７)と同様な効果が得られる。
【図面の簡単な説明】
【００１３】
【図１】本発明を実施するための第１の形態の使用状態の説明図。
【図２】本発明を実施するための第１の形態のブロック図。
【図３】本発明を実施するための第１の形態の正面図。
【図４】本発明を実施するための第２の形態の使用状態の説明図。
【図５】本発明を実施するための第２の形態のブロック図。
【図６】本発明を実施するための第２の形態の正面図。
【図７】本発明を実施するための第３の形態の使用状態の説明図。
【図８】本発明を実施するための第３の形態のブロック図。
【図９】本発明を実施するための第３の形態の正面図。
【符号の説明】
【００１４】
１、１Ａ、１Ｂ：デジタル字幕放送用レコーダ、
２：デジタル字幕放送、
３：視聴者モニター、
４：映像信号受信器、
５：音声信号受信器、  
６：字幕データ信号受信器、
７：映像信号送信器、
８：音声信号送信器、
９：字幕データ信号送信器、
１０：リモコン、
１１、１１Ａ：可変表示調整器、
１２：ＵＳＢ端子、
１３：ＵＳＢメモリー、
１４：ビデオレコーダー、
１５：生字幕・収録字幕識別装置。
【発明を実施するための形態】
【００１５】
以下、図面に示す本発明を実施するための形態により、本発明を詳細に説明する。
【００１６】
図１ないし図３に示す本発明を実施するための第１の形態において、１はデジタル字幕放送２の映像信号、音声信号および字幕データ信号を受信し、視聴者モニター３へ変調しないそのままの字幕表示をするとともに、該字幕表示のタイミングに合わせて可変調整した映像表示、音声表示を表示させることができる本発明のデジタル字幕放送用レコーダで、このデジタル字幕放送用レコーダ１は前記デジタル字幕放送２の映像信号、音声信号および字幕データ信号を電波あるいはケーブルで受信する映像信号受信器４、音声信号受信器５および字幕データ信号受信器６と、この映像信号受信器４、音声信号受信器５および字幕データ信号受信器６からの信号をそれぞれ受信して視聴者モニター３へ送信する映像信号送信器７、音声信号送信器８および字幕データ信号送信器９と、前記映像信号受信器４、音声信号受信器５と前記映像信号送信器７、音声信号送信器８との間に設けられた、前記視聴者モニター３での変調しないそのままの字幕表示に合わせて、映像表示、音声表示の表示タイミングを、例えばリモコン１０で３１段（０〜３０秒）に可変調整することができる可変表示調整器１１とで構成されている。
【００１７】
前記字幕データ信号受信器６はＵＳＢ端子１２にＵＳＢメモリー１３を挿入することにより、字幕データが日時を含む状態で記録・保存されるように構成され、日時を含む状態で記録・保存された字幕データは字幕テキストファイルで、視聴者モニターであるテレビ画面に再生できる。
【００１８】
そして、テレビ画面で再生された再生表示の文字サイズは、大、中、小に、その文字色は白、黄、水色、緑に、画面色は、黒、青に、表示切替は頁単位１行〜８行、スクロール等にそれぞれ可変設定ができる。
【００１９】
ところで、第１の形態では、直接テレビ視聴ができない番組もチャンネルを設定しておけば、指定番組の字幕放送の全文が自動記録されるようになっている。また、自動記録された文字データは、放送時間に拘束されずに「速読」、「再読」、「拾読」等々、自分流で放送内容の掌握ができる。
【００２０】
また、前記視聴者モニター３は、自宅のテレビでよく、自宅のテレビが「観るだけのテレビ」から「読むテレビ機能」が追加され、自宅テレビが「先端多機能テレビ」に変身できる。
【００２１】
さらに、前記ＵＳＢメモリー１３をＰＣに挿入すれば、プリンターで文字出力ができる。なお、ＵＳＢポート付プリンターなら直接接続すればＰＣがなくても即印刷もできる。
【００２２】
加えて、字幕放送される各種番組には、書籍にしたいものがたくさんあるが、このデジタル字幕放送用レコーダがあれば、自分利用のためなら即印刷して活用できる。
【００２３】
ＰＣ等で作成されたＵＳＢメモリーのテキストデータは、ＵＳＢ端子に挿入すると、そのままテレビ画面に文字表示させることもできる。
付言すると、ＵＳＢ端子を利用し、点字周辺機器への接続等、福祉機器類等への多様な利用展開が考えられる。
【００２４】
[発明を実施するための異なる形態]
次に、図４ないし図９に示す本発明を実施するための異なる形態につき説明する。なお、この本発明を実施するための異なる形態の説明に当って、前記本発明を実施するための第１の形態と同一構成部分には同一符号を付して重複する説明を省略する。
【００２５】
図４ないし図６に示す本発明を実施するための第２の形態において、前記本発明を実施するための第１の形態と主に異なる点は、映像信号送信器７、音声信号送信器８および字幕データ信号送信器９の信号を受信し、日時を含む状態で記録・保存するビデオレコーダー１４を介して視聴者モニター３で映像表示、音声表示および字幕表示をできるようにした点で、このようなデジタル字幕放送用レコーダ１Ａにしても前記本発明を実施するための第１の形態と同様な作用効果が得られるとともに、ビデオレコーダー１４でデジタル字幕放送を再生することができるとともに、字幕だけの再生もできる。また、ビデオレコーダー１４で日時を含む状態で記録・保存したデータの内の字幕データを検索することにより映像も検索することができる。
【００２６】
図７ないし図９に示す本発明を実施するための第３の形態において、前記本発明を実施するための第１の形態と主に異なる点はデジタル字幕放送２からの放送が生字幕放送か収録字幕放送であるかを識別する生字幕・収録字幕識別装置１５と、この生字幕・収録字幕識別装置１５が生字幕放送であると識別した場合に視聴者モニター３での字幕表示に合わせて映像表示、音声表示の表示タイミングを調整することができるオン状態となり、前記生字幕・収録字幕識別装置１５が収録字幕放送であると識別した場合に前記視聴者モニター３へ前記映像信号受信器４、音声信号受信器５で受信した信号を表示タイミングを調整することなく前記映像信号受信器７、音声信号受信器８へ送信するオフ状態となる可変表示調整器１１Ａとを用いた点で、このように構成したデジタル字幕放送用レコーダ１Ｂにしても前記本発明を実施するための第１の形態と同様な作用効果が得られるとともに、デジタル字幕放送２からの放送が生字幕放送の場合には自動的に字幕表示に合わせて映像表示、音声表示の表示タイミングを可変表示調整器１１Ａで調整したものが視聴者モニター３に表示され、収録字幕放送である場合には表示タイミングを可変表示調整器１１Ａで調整をすることなくそのまま視聴者モニター３に表示される。
【００２７】
なお、前記生字幕・収録字幕識別装置１５はデジタル字幕放送２で字幕の前に表示される＞＞の表示記号で識別するデジタル字幕放送用レコーダ１Ｂ側だけで識別できるようにしたものやあらかじめ放送設備側で生字幕放送の場合には生字幕放送であるという識別信号を設けて識別できるようにしたものを用いてもよい。
【産業上の利用可能性】
【００２８】
本発明は日本語は勿論、外国語も含むデジタル字幕放送からの映像信号、音声信号および字幕データ信号を受信して視聴者モニターへ変調しないそのままの字幕表示をするとともに、該字幕表示のタイミングに合わせて可変調整した映像表示、音声表示を表示させることができるデジタル字幕放送用レコーダを製造する産業で利用される。
【図１】
2012093425.tif 000003
【図２】
2012093425.tif 000004
【図３】
2012093425.tif 000005
【図４】
2012093425.tif 000006
【図５】
2012093425.tif 000007
【図６】
2012093425.tif 000008
【図７】
2012093425.tif 000009
【図８】
2012093425.tif 000010
【図９】
2012093425.tif 000011
【国際調査報告】
2012093425.tif 000012
2012093425.tif 000013
2012093425.tif 000014
2012093425.tif 000015